(57)【要約】【目的】リビングやダイニングで子供が親と過ごしながら、日常行うべきことを躾として子供に習慣づけることを可能にする。【構成】本発明に係る住宅収納用棚板１は、棚板本体２と、該棚板本体が架設姿勢にあるときにその上面となる側に着脱自在に取り付けられる押さえ部材３とで構成してある。押さえ部材３は、全体断面がＬ字状となるように底板４と該底板の縁部に立設された側板５とで構成してあり、教科書、参考書、ノートなどの冊子状収納物７ａの上方縁部が収納棚やクローゼットの背板１０に当接され下方縁部が底板４の上面に載置された状態で、該冊子状収納物の下方縁部が側板５の内方側面６に当接することにより、該冊子状収納物をその下方縁部で側方支持できるようになっている。【選択図】  図１
2015140567.tif 000002
【特許請求の範囲】
【請求項１】
冊子状収納物を収納できるように構成された棚板本体と該棚板本体が架設姿勢にあるときにその上面となる側に着脱自在に取り付けられる押さえ部材とを備えてなり、該押さえ部材は、前記冊子状収納物が前記棚板本体に対し起立状態でかつその架設方向とほぼ平行になるように該棚板本体に配置されたとき、前記冊子状収納物の下方縁部で該冊子状収納物を側方支持するようになっていることを特徴とする住宅収納用棚板。
【請求項２】
前記押さえ部材を、全体断面がＬ字状となるように底板と該底板の縁部に立設された側板とで構成するとともに、前記冊子状収納物が前記底板の上面に載置され前記側板の内方側面で側方支持されるように構成した請求項１記載の住宅収納用棚板。
【請求項３】
前記押さえ部材を、前記棚板本体への取付け姿勢において側面又は周面となる側で前記冊子状収納物が側方支持されるように構成するとともに、下面となる側に前記棚板本体の上面に穿孔された嵌入穴に嵌め込まれる嵌合突起を突設した請求項１記載の住宅収納用棚板。
【請求項４】
前記押さえ部材を、長手方向が前記棚板本体の上面とほぼ平行になる姿勢で該棚板本体に取り付けられるように構成されてなる四角柱部材とした請求項３記載の住宅収納用棚板。
【請求項５】
前記押さえ部材を、中心軸線が前記棚板本体の上面とほぼ垂直になる姿勢で該棚板本体に取り付けられるように構成されてなる円柱部材とした請求項３記載の住宅収納用棚板。
【請求項６】
前記嵌入穴を前記棚板本体の奥行方向に沿って複数形成した請求項３乃至請求項５のいずれか一記載の住宅収納用棚板。
【発明の詳細な説明】
【技術分野】
【０００１】
本発明は、主として子育て世帯に適した住宅収納用棚板に関する。
【背景技術】
【０００２】
子育て世帯が居住する住宅を設計施工するにあたり、旧来、独立心を養う、勉強に適した環境を整える、プライバシーに配慮するといった観点から、リビングやダイニングとは別に、子供部屋を個室として設けるのが一般的であった。
【０００３】
ところが、昨今においては、子供が長時間個室で過ごすことで、引きこもりに見られるような人格形成上の弊害が生じたり、インターネットが持つ危険な側面を認識できずに犯罪に巻き込まれたりといった事態が懸念されることから、子供が中学生以下、特に小学生以下の場合、就寝時以外は自らの個室で過ごさず、リビングやダイニングで親と過ごすことが一般化しつつある。
【０００４】
一方、最近では、躾が再認識され、その主体が学校から家庭に移行しつつあるとともに、家庭での学習量も増える傾向にあり、家庭における躾、特に学習の習慣付けについての家庭の役割が以前にも増して重要になってきた。
【先行技術文献】
【特許文献】
【０００５】
【特許文献１】特開２０１３−２０９８７３号公報
【発明の概要】
【発明が解決しようとする課題】
【０００６】
ここで、リビングやダイニングは本来、接客空間としての機能も担っているため、子供が親と一緒にダイニングで食事をしたり、ダイニングテーブルで子供が勉強し、さらにはそれをキッチンで家事をする母親が見守ったり、親子がリビングで会話をしたりといったことは、広さの面ではほとんど問題とはならない。
【０００７】
しかしながら、子供に必要な収納はそれぞれの個室で確保されていることから、それに合わせて子供が自分の持ち物を個室に収納し、さらには帰宅時の片付けや登校時の準備も個室で行なおうとすると、住宅内における行動が非効率になる、すなわち、子供の主たる活動場所がダイニングやリビングになっているため、典型的には一階のリビングやダイニングと二階の子供部屋とを何度も行き来しなければならなくなり、子供ならずとも移動が面倒になる。
【０００８】
そのため、ともすればダイニングやリビングに子供の持ち物が散在する結果を招き、帰宅時の片付けや登校時の準備といった日常行うべきことを躾として子供に習慣付けることが困難になるという問題を生じていた。
【０００９】
特に、教科書、参考書、ノートなどの冊子状収納物は、そのときどきの学年あるいは学期で頻繁に利用されるものと、履修済ゆえ利用頻度は低いものの復習のために必要になるものとが混在しているため、本来的に整理しづらく、上述の問題がさらに深刻となる。
【課題を解決するための手段】
【００１０】
本発明は、上述した事情を考慮してなされたもので、リビングやダイニングで子供が親と過ごしながら、日常行うべきことを躾として子供に習慣づけることが可能な住宅収納用棚板を提供することを目的とする。
【００１１】
上記目的を達成するため、本発明に係る住宅収納用棚板は請求項１に記載したように、冊子状収納物を収納できるように構成された棚板本体と該棚板本体が架設姿勢にあるときにその上面となる側に着脱自在に取り付けられる押さえ部材とを備えてなり、該押さえ部材は、前記冊子状収納物が前記棚板本体に対し起立状態でかつその架設方向とほぼ平行になるように該棚板本体に配置されたとき、前記冊子状収納物の下方縁部で該冊子状収納物を側方支持するようになっているものである。
【００１２】
また、本発明に係る住宅収納用棚板は、前記押さえ部材を、全体断面がＬ字状となるように底板と該底板の縁部に立設された側板とで構成するとともに、前記冊子状収納物が前記底板の上面に載置され前記側板の内方側面で側方支持されるように構成したものである。
【００１３】
また、本発明に係る住宅収納用棚板は、前記押さえ部材を、前記棚板本体への取付け姿勢において側面又は周面となる側で前記冊子状収納物が側方支持されるように構成するとともに、下面となる側に前記棚板本体の上面に穿孔された嵌入穴に嵌め込まれる嵌合突起を突設したものである。
【００１４】
また、本発明に係る住宅収納用棚板は、前記押さえ部材を、長手方向が前記棚板本体の上面とほぼ平行になる姿勢で該棚板本体に取り付けられるように構成されてなる四角柱部材としたものである。
【００１５】
また、本発明に係る住宅収納用棚板は、前記押さえ部材を、中心軸線が前記棚板本体の上面とほぼ垂直になる姿勢で該棚板本体に取り付けられるように構成されてなる円柱部材としたものである。
【００１６】
また、本発明に係る住宅収納用棚板は、前記嵌入穴を前記棚板本体の奥行方向に沿って複数形成したものである。
【００１７】
教科書や参考書を含む書籍をはじめ、ノート、連絡帳といった冊子状収納物を棚板に載せて収納する場合、一般的には、棚板に起立させた状態で該棚板の奥行方向と平行になるように、換言すれば棚板の架設方向とほぼ直交するように連続的に並べる（以下、これを縦置きと呼ぶ）。
【００１８】
この縦置きは、正面側に背表紙が露出するため、冊子状収納物のタイトルが容易に視認できる反面、利用頻度にばらつきがある複数の冊子状収納物を並べた場合、特定の冊子状収納物を取り出す際には、頻繁に利用するにもかかわらず、そのつど多数の冊子状収納物の中から探し出さねばならないという状況が生じる。
【００１９】
この場合、例えば利用頻度に応じて収納場所を左右に分けたり、棚板自体を別にすることがもちろん考えられるが、この考え方は、利用頻度の低い冊子状収納物を利用頻度の高い冊子状収納物と同等に扱うことを意味するものであって、収納効率の面で優れているとは言い難い。
【００２０】
棚板本体の奥行寸法に余裕を持たせた上、手前側に利用頻度の高いものを、奥側に利用頻度の低いものを配置する、いわば二重配置も考えられるが、収納棚の設置スペース上、棚板本体の奥行寸法をそれほど大きくできないことを勘案すれば、奥側に配置できる冊子状収納物は文庫本のような小さなものに限定され、利用頻度に応じた収納という目的達成が困難になるほか、奥側の冊子状収納物を起立状態で安定載置するためにブックエンドに類する押さえ治具が必要になるため、取出しはともかく、元の位置に戻す作業はきわめて煩雑となる。
【００２１】
本発明はかかる状況に鑑みてなされたものであり、本発明に係る住宅収納用棚板においては、棚板本体が架設姿勢にあるときにその上面となる側に着脱自在に取り付けられる押さえ部材を備えており、該押さえ部材は、冊子状収納物が棚板本体に対し起立状態でかつその架設方向とほぼ平行になるように該棚板本体に配置されたとき（以下、横置きと呼ぶ）、該冊子状収納物の下方縁部で冊子状収納物を側方支持するようになっている。
【００２２】
かかる構成においては、棚板本体直上の収納スペースが、押さえ部材の手前側に拡がる空間であって冊子状収納物が縦置き状態で収納される縦置きスペースと、その直上又は背後に拡がる空間であって冊子状収納物が横置き状態で収納される横置きスペースとに区分されるとともに、横置きスペースでは、冊子状収納物の下方縁部が押さえ部材で側方支持される。
【００２３】
そのため、横置きスペースにおいても冊子状収納物を安定した載置姿勢で収納することができるとともに、手前側に冊子状収納物が並んでいたとしても、その上方空間を利用して取出し作業や元の位置に戻す作業を容易に行うことが可能となる。
【００２４】
また、棚板本体の奥行寸法をそれほど大きくせずとも、収納スペースを前後に分割することが可能となる。
【００２５】
加えて、横置きスペースでは、棚板本体の架設方向に沿った寸法を十分に確保することができるため、冊子状収納物のサイズが制約を受けるおそれもない。
【００２６】
したがって、全体の収納量を大きく増やすことなく、しかも取出し作業や元の位置に戻す作業の容易性を確保しながら、冊子状収納物を利用頻度に応じて合理的に収納することが可能となり、かくして子供の持ち物である教科書、参考書、ノートといった冊子状収納物をダイニングやリビングに散在させることなく自ら決められた場所に収納するよう、子供に習慣付けることが可能となる。
【００２７】
押さえ部材は、棚板本体に対し着脱自在であり、横置きされた冊子状収納物を、その下方縁部で側方支持できる限り、具体的な構成は任意であって、棚板本体の架設方向に沿った寸法や奥行寸法あるいは棚板本体の架設方向に沿った配置数については適宜定めることができるとともに、複数配置する場合にそれらを互いに隣接させるのか隣接させないのかも任意であるが、例えば以下の構成、すなわち、
(a)全体断面がＬ字状となるように底板と該底板の縁部に立設された側板とで構成するとともに、前記冊子状収納物が前記底板の上面に載置され前記側板の内方側面で側方支持されるようにした構成
(b)前記棚板本体への取付け姿勢において側面又は周面となる側で前記冊子状収納物が側方支持されるように構成するとともに、下面となる側に前記棚板本体の上面に穿孔された嵌入穴に嵌め込まれる嵌合突起を突設した構成
を採用することができるし、(b)の構成は特に、
(b-1)長手方向が前記棚板本体の上面とほぼ平行になる姿勢で該棚板本体に取り付けられるように構成されてなる四角柱部材とした構成
(b-2)中心軸線が前記棚板本体の上面とほぼ垂直になる姿勢で該棚板本体に取り付けられるように構成されてなる円柱部材とした構成
とすることができる。
【００２８】
ここで、構成(b)において、嵌入穴を棚板本体の奥行方向に沿って複数形成したならば、手前側の縦置きスペースに収納される冊子状収納物の幅との兼ね合いの範囲内で、奥側の横置きスペースに収納される冊子状収納物の冊数を調整することができる。
【図面の簡単な説明】
【００２９】
【図１】第１実施形態に係る住宅収納用棚板１の図であり、(a)は全体斜視図、(b)はＡ−Ａ線方向から見た矢視図。
【図２】押さえ部材３の平面配置図。
【図３】第２実施形態に係る住宅収納用棚板３１の組立斜視図。
【図４】第２実施形態に係る住宅収納用棚板３１の使用状況を示した図であり、(a)は全体斜視図、(b)はＢ−Ｂ線方向から見た矢視図。
【図５】変形例に係る住宅収納用棚板の組立斜視図。
【図６】別の変形例に係る住宅収納用棚板の平面図。
【発明を実施するための形態】
【００３０】
以下、本発明に係る住宅収納用棚板の実施の形態について、添付図面を参照して説明する。
【００３１】
［第１実施形態］
図１は、第１実施形態に係る住宅収納用棚板を示した全体斜視図及び矢視図である。これらの図でわかるように、本実施形態に係る住宅収納用棚板１は、住宅内に設置された玄関脇のウォークインクローゼット、リビング、ダイニング等の共用空間に設置された収納棚あるいはクローゼットの棚板に適用されるものであって、棚板本体２と、該棚板本体が架設姿勢にあるときにその上面となる側に着脱自在に取り付けられる押さえ部材３とで構成してある。
【００３２】
押さえ部材３は、棚板本体２の架設方向に沿って互いに隣接するように該棚板本体の上面に複数載置してあるとともに、棚板本体２の奥側に寄せて配置してある。なお、本実施形態では、押さえ部材３を棚板本体２に固定する必要はなく、棚板本体２の上面に単に並べて配置すれば足りる。
【００３３】
押さえ部材３は、全体断面がＬ字状となるように底板４と該底板の縁部に立設された側板５とで構成してあり、棚板本体２の架設方向に沿った寸法（幅）を例えばＢ５〜Ａ４サイズの短手寸法とし、奥行を例えば棚板本体２の奥行の１／３程度とし、高さを例えば５ｃｍ程度とすることができる。
【００３４】
ここで、押さえ部材３は、教科書、参考書、ノートなどの冊子状収納物７ａの上方縁部が収納棚やクローゼットの背板１０に当接され下方縁部が底板４の上面に載置された状態で、該冊子状収納物の下方縁部が側板５の内方側面６に当接することにより、該冊子状収納物をその下方縁部で側方支持できるようになっている。
【００３５】
本実施形態に係る住宅収納用棚板１においては、押さえ部材３を棚板本体２の上面に載置することで、該押さえ部材を棚板本体２に取り付ける。
【００３６】
このようにすると、棚板本体２の収納スペースは、押さえ部材３の手前側に拡がる棚板本体２の直上空間と、押さえ部材３を構成する底板４の直上に拡がる空間とに区分され、前者の収納スペースは、冊子状収納物７ｂが棚板本体２に対し起立状態でかつその架設方向とほぼ直交するように該棚板本体に配置される姿勢、すなわち縦置きの姿勢で冊子状収納物７ｂを収納する縦置きスペース８ｂとなる。
【００３７】
また、後者の収納スペースは、冊子状収納物７ａが棚板本体２に対し起立状態でかつその架設方向とほぼ平行になるように該棚板本体に配置される姿勢、すなわち横置きの姿勢で該冊子状収納物を収納する横置きスペース８ａとなるが、横置きスペース８ａでは、冊子状収納物７ａの下方縁部が上述したように押さえ部材３で側方支持されるので、手前側にずれるおそれはない。
【００３８】
ここで、縦置きスペース８ｂに収納される冊子状収納物７ｂとしては、そのときどきの学年あるいは学期で頻繁に利用される教科書や参考書あるいはノート類とし、横置きスペース８ａに収納される冊子状収納物７ａとしては、履修済ゆえ利用頻度は低いものの、復習のために必要になる前年度の教科書や参考書あるいはノート類とすればよい。
【００３９】
以上説明したように、本実施形態に係る住宅収納用棚板１によれば、横置きスペース８ａにおいても冊子状収納物７ａが安定した載置姿勢で収納されるとともに、手前側に冊子状収納物７ｂが並んでいたとしても、その上方空間を利用して取出し作業や元の位置に戻す作業を容易に行うことが可能となる。
【００４０】
また、棚板本体２の奥行寸法をそれほど大きくせずとも、該棚板本体の収納スペースを前後に分割することが可能となる。
【００４１】
加えて、横置きスペース８ａでは、押さえ部材３の幅、換言すれば棚板本体２の架設方向に沿った寸法を十分に確保することができるため、冊子状収納物７ａのサイズが制約を受けるおそれもない。
【００４２】
そのため、棚板本体２の全体収納量を大きく増やすことなく、しかも取出し作業や元の位置に戻す作業の容易性を確保しながら、冊子状収納物７ａ，７ｂを利用頻度に応じて合理的に収納することが可能となり、かくして子供の持ち物である教科書、参考書、ノートといった冊子状収納物７ａ，７ｂをダイニングやリビングに散在させることなく自ら決められた場所に収納するよう、子供に習慣付けることが可能となる。
【００４３】
本実施形態では、冊子状収納物７ａの上方縁部が収納棚やクローゼットの背板１０に当接されるものとして説明したが、これに代えて、収納棚やクローゼットの設置壁面に冊子状収納物７ａの上方縁部を当接させるようにしてもかまわない。
【００４４】
また、本実施形態では、押さえ部材３の設置数について特に言及しなかったが、棚板本体２の架設方向に沿って押さえ部材３をいくつ並べるかは任意であり、図２(a)に示すように、押さえ部材３の幅を棚板本体２の架設方向に沿った寸法（幅）の整数分の１とした上、棚板本体２の一方の端部から他方の端部まで押さえ部材３を互いに隣接させた状態で並べるようにしてもよい。
【００４５】
また、同図(b)に示すように、押さえ部材３の幅を適宜定めた上、これを棚板本体２の一方の端部から互いに隣接させつつ所定数だけ配置する構成や、同図(c)に示すように、棚板本体２の端部から離間した箇所に押さえ部材３を所定数だけ（同図では一つ）配置する構成を採用することも可能であり、かかる構成によれば、棚板本体２の奥行と同等の奥行寸法を持つ冊子状収納物を収納することもできる。
【００４６】
［第２実施形態］
次に、第２実施形態に係る住宅収納用棚板について説明する。なお、第１実施形態と実質的に同一の部品等については同一の符号を付してその説明を省略する。
【００４７】
図３は、第２実施形態に係る住宅収納用棚板を示した全体斜視図、図４は、冊子状収納物７ａ，７ｂが収納された様子を示した全体斜視図及び矢視図である。これらの図でわかるように、本実施形態に係る住宅収納用棚板３１は、第１実施形態と同様、住宅内に設置された玄関脇のウォークインクローゼット、リビング、ダイニング等の共用空間に設置された収納棚あるいはクローゼットの棚板に適用されるものであって、棚板本体２と、該棚板本体が架設姿勢にあるときにその上面となる側に着脱自在に取り付けられる押さえ部材３３とで構成してあり、該押さえ部材は、棚板本体２の架設方向に沿って互いに隣接するように該棚板本体の上面に複数載置してある。
【００４８】
押さえ部材３３は、長手方向が棚板本体２の上面とほぼ平行になる姿勢で該棚板本体に取り付けられるように構成されてなる四角柱部材として構成してあり、その取付け姿勢において側面となる側（背面側）で冊子状収納物７ａが側方支持されるように構成するとともに、下面となる側に棚板本体２の上面に穿孔された嵌入穴３４に嵌め込まれる嵌合突起３５を突設してあり、棚板本体２の架設方向に沿った寸法（幅）を例えばＢ５〜Ａ４サイズの短手寸法とし、取付け位置を棚板本体２の後方縁部から例えば該棚板本体の奥行の１／３程度とし、高さを例えば５ｃｍ程度とすることができる。
【００４９】
ここで、押さえ部材３３は、教科書、参考書、ノートなどの冊子状収納物７ａの上方縁部が収納棚やクローゼットの背板１０に当接され下方縁部が棚板本体２の上面に載置された状態で、該冊子状収納物の下方縁部が押さえ部材３３の背面３６に当接することにより、該冊子状収納物をその下方縁部で側方支持できるようになっている。
【００５０】
本実施形態に係る住宅収納用棚板３１においては、押さえ部材３３の下面に突設した嵌合突起３５を棚板本体２の上面に穿孔された嵌入穴３４に嵌め込むことで、押さえ部材３３を棚板本体２に取り付ける。
【００５１】
このようにすると、棚板本体２の直上に拡がる収納スペースは、押さえ部材３３の手前側の空間と、押さえ部材３の背後に拡がる空間とに区分され、前者の収納スペースは、冊子状収納物７ｂを縦置きの姿勢で収納する縦置きスペース８ｂとなり、後者の収納スペースは、冊子状収納物７ａを横置きの姿勢で収納する横置きスペース８ａとなるが、横置きスペース８ａでは、冊子状収納物７ａの下方縁部が上述したように押さえ部材３３で側方支持されるので、手前側にずれるおそれはない。冊子状収納物７ａ，７ｂは、第１実施形態と同様に選定すればよいが、ここではその説明を省略する。
【００５２】
以上説明したように、本実施形態に係る住宅収納用棚板３１によれば、横置きスペース８ａにおいても冊子状収納物７ａが安定した載置姿勢で収納されるとともに、手前側に冊子状収納物７ｂが並んでいたとしても、その上方空間を利用して取出し作業や元の位置に戻す作業を容易に行うことが可能となる。
【００５３】
また、棚板本体２の奥行寸法をそれほど大きくせずとも、該棚板本体の収納スペースを前後に分割することが可能となる。
【００５４】
加えて、横置きスペース８ａでは、押さえ部材３３の幅、換言すれば棚板本体２の架設方向に沿った寸法を十分に確保することができるため、冊子状収納物７ａのサイズが制約を受けるおそれもない。
【００５５】
そのため、棚板本体２の全体収納量を大きく増やすことなく、しかも取出し作業や元の位置に戻す作業の容易性を確保しながら、冊子状収納物７ａ，７ｂを利用頻度に応じて合理的に収納することが可能となり、かくして子供の持ち物である教科書、参考書、ノートといった冊子状収納物７ａ，７ｂをダイニングやリビングに散在させることなく自ら決められた場所に収納するよう、子供に習慣付けることが可能となる。
【００５６】
本実施形態では、冊子状収納物７ａの上方縁部が収納棚やクローゼットの背板１０に当接されるものとして説明したが、これに代えて、収納棚やクローゼットの設置壁面に冊子状収納物７ａの上方縁部を当接させるようにしてもかまわない。
【００５７】
また、本実施形態では、本発明の押さえ部材を、長手方向が棚板本体２の上面とほぼ平行になる姿勢で該棚板本体に取り付けられるように構成された四角柱部材である押さえ部材３３で構成したが、これに代えて、図５に示すように、中心軸線が棚板本体２の上面とほぼ垂直になる姿勢で該棚板本体に取り付けられるように構成された円柱部材である押さえ部材５３で本発明の押さえ部材を構成してもよい。
【００５８】
押さえ部材５３は、その取付け姿勢において周面となる側で冊子状収納物７ａが側方支持されるように構成してあるとともに、下面となる側に棚板本体２の上面に穿孔された嵌入穴３４に嵌め込まれる嵌合突起５５を突設してある。
【００５９】
押さえ部材５３は、例えばＢ５〜Ａ４サイズの短手寸法の１／２〜１／３程度の寸法を離間距離として、棚板本体２の架設方向に沿って列状に複数配置するのがよい。
【００６０】
押さえ部材５３に関する他の構成や作用効果については上述した実施形態と同様であるので、ここではその説明を省略する。
【００６１】
また、本実施形態では特に言及しなかったが、図６に示すように、棚板本体２の上面に穿孔される嵌入穴３４を、棚板本体２の奥行方向に沿って複数形成するようにしてもよい。
【００６２】
かかる構成によれば、棚板本体２への押さえ部材３３の取付け位置が可変となるため、冊子状収納物７ａ，７ｂの冊数の比率に応じて、横置きスペース８ａと縦置きスペース８ｂの大きさを調整することが可能となる。
【００６３】
なお、押さえ部材５３についても同様の変形例を採用することができるが、ここではその説明を省略する。
【符号の説明】
【００６４】
１，３１        住宅収納用棚板
２              棚板本体
３，３３，５３  押さえ部材
４              底板
５              側板
６              内方側面
７ａ，７ｂ      冊子状収納物
８ａ            横置きスペース
８ｂ            縦置きスペース
３４              嵌入穴
３５，５５        嵌合突起
３６              背面（側面）
【図１】
2015140567.tif 000003
【図２】
2015140567.tif 000004
【図３】
2015140567.tif 000005
【図４】
2015140567.tif 000006
【図５】
2015140567.tif 000007
【図６】
2015140567.tif 000008